(57)【要約】【課題】自動注入装置のような制御装置が不要で、手の平でかなりの力で押す必要がなく、指の力で注射動作でき、かつ、患者の血管を突き抜けて注射針を刺してしまった場合や、造影剤の注入により、患者の血管が注入途中で収縮した場合や、チューブが塞がった場合でも、それによる圧力変動を、圧力感覚が特に鋭い手の指で感じることができ注入動作を中止またはゆっくりさせることができる。【解決手段】バレルに充填された造影剤をプランジャの押動で注入可能な造影剤注入器を着脱自在に保持し、この保持した前記造影剤注入器の注入動作を補助する注入補助具であって、前記バレルを保持する保持手段と、前記プランジャを押動する押動手段と、手の指によって操作可能な操作レバーと、前記操作レバーの操作を梃子の原理により前記押動手段へ減速増力して伝達する動力伝達手段とを有することを特徴とする注入補助具。【選択図】図１
2004313748.tif 000002
【特許請求の範囲】
【請求項１】
バレルに充填された造影剤をプランジャの押動で注入可能な造影剤注入器を着脱自在に保持し、この保持した前記造影剤注入器の注入動作を補助する注入補助具であって、
前記バレルを保持する保持手段と、
前記プランジャを押動する押動手段と、
手の指によって操作可能な操作レバーと、
前記操作レバーの操作を梃子の原理により前記押動手段へ減速増力して伝達する動力伝達手段とを有することを特徴とする注入補助具。
【請求項２】
前記バレルに充填された当初の造影剤の容量が４０ｍｌ以上であることを特徴とする請求項１に記載の注入補助具。
【請求項３】
前記バレルに充填された当初の造影剤の容量が２５０ｍｌ以下であることを特徴とする請求項１また請求項２に記載の注入補助具。
【請求項４】
前記バレルの断面積が３ｃｍ2以上であることを特徴とする請求項１乃至請求項３のいずれか１項に記載の注入補助具。
【請求項５】
前記バレルの断面積が２０ｃｍ2以下であることを特徴とする請求項１乃至請求項４のいずれか１項に記載の注入補助具。
【請求項６】
前記バレルの先端から前記動力伝達手段の梃子の支点までの距離が４０ｃｍ以下であることを特徴とする請求項１乃至請求項５のいずれか１項に記載の注入補助具。
【請求項７】
前記バレルの先端から前記動力伝達手段の梃子の支点までの距離が５ｃｍ以上であることを特徴とする請求項１乃至請求項６のいずれか１項に記載の注入補助具。
【請求項８】
前記動力伝達手段が、
前記操作レバーの操作により、梃子の支点を中心に回動する回動部材を有し、前記回動部材が押動方向に回動すると、前記押動手段が前記バレル側に前進するものであることを特徴とする請求項１乃至請求項７のいずれか１項に記載の注入補助具。
【請求項９】
前記回動部材の作用点からの作用により、直接又は間接に、前記押動手段が前記バレル側に前進するものであることを特徴とする請求項８に記載の注入補助具。
【請求項１０】
前記梃子の支点から前記作用点までの距離が０．５ｃｍ以上であることを特徴とする請求項９に記載の注入補助具。
【請求項１１】
前記梃子の支点から前記作用点までの距離が３ｃｍ以下であることを特徴とする請求項９または請求項１０に記載の注入補助具。
【請求項１２】
前記操作レバーの当初位置から最大操作位置に至るまでの間の操作全てにおいて、前記押動手段によって前記プランジャを押動する方向と、前記動力伝達手段の梃子の支点と前記作用点とを結ぶ方向との間の角度が、３０°以上１５０°以下であることを特徴とする請求項９乃至請求項１１のいずれか１項に記載の注入補助具。
【請求項１３】
前記操作レバーの当初位置から最大操作位置に至るまでの間の操作全てにおいて、前記操作レバーの操作を前記押動手段へ減速増力して伝達するものであることを特徴とする請求項１乃至請求項１２のいずれか１項に記載の注入補助具。
【請求項１４】
１回の前記操作レバーの操作により前記バレルに充填された当初の造影剤の注入開始から注入終了までの全てをできるものではなく、複数回の前記操作レバーの操作により前記バレルに充填された当初の造影剤の注入開始から注入終了までの全てをできるものであることを特徴とする請求項１乃至請求項１３のいずれか１項に記載の注入補助具。
【請求項１５】
前記保持手段により前記バレルを保持した状態で、前記バレルを視認可能であることを特徴とする請求項１乃至請求項１４のいずれか１項に記載の注入補助具。
【請求項１６】
前記造影剤を平均５ｍｌ／秒以下の注入速度で注入するためのものであることを特徴とする請求項１乃至請求項１５のいずれか１項に記載の注入補助具。
【請求項１７】
前記造影剤を１×１０6Ｐａ以下の注入圧力で注入するためのものであることを特徴とする請求項１乃至請求項１６のいずれか１項に記載の注入補助具。
【請求項１８】
前記造影剤を尿路または小静脈に注入するためのものであることを特徴とする請求項１乃至請求項１７のいずれか１項に記載の注入補助具。    
【請求項１９】
前記操作レバーとともに人の手により握ることができる位置に、ハンドルが設けられていることを特徴とする請求項１乃至請求項１８のいずれか１項に記載の注入補助具。
【請求項２０】
前記操作レバーと前記ハンドルを握ることにより持ち上げ、操作することが可能であることを特徴とする請求項１９に記載の注入補助具。
【請求項２１】
前記ハンドルと前記保持手段とが一体になったピストル型であることを特徴とする請求項１９または請求項２０に記載の注入補助具。
【請求項２２】
前記保持手段は、前記造影剤注入器の前記バレルが載置可能である受部と、開閉自在で閉じた時、前記受部に載置された前記バレルの一部を保持する保持部とを有することを特徴とする請求項１に記載の注入補助具。
【請求項２３】
前記保持部は、透明体であることを特徴とする請求項２２に記載の注入補助具。
【請求項２４】
前記保持部は、前記バレルの一部を押圧保持する弾性体を有することを特徴とする請求項２２または請求項２３に記載の注入補助具。
【請求項２５】
前記造影剤注入器のバレルは、前記バレルの開口側に鍔部を有し、この鍔部を前記保持部に当接させることを特徴とする請求項２２乃至請求項２４のいずれか１項に記載の注入補助具。
【請求項２６】
前記受部は、突起部を有し、この突起部に前記鍔部を係合させることを特徴とする請求項２２乃至請求項２５のいずれか１項に記載の注入補助具。
【請求項２７】
前記造影剤注入器は、そのプランジャに頭部を有するピストンが係合されており、前記押動手段の押圧部と前記ピストンの頭部との間に中間プレートを介在させたことを特徴とする請求項２２乃至請求項２４のいずれか１項に記載の注入補助具。
【請求項２８】
前記中間プレートは、前記保持手段側に押動方向に移動可能に係合保持される係合摺動部と、前記ピストンの頭部を係合保持する係合保持部とを有することを特徴とする請求項２７に記載の注入補助具。
【請求項２９】
前記造影剤注入器のバレルは、透明体であり、充填される造影剤の液量を示す目盛を有することを特徴とする請求項１乃至請求項２８のいずれか１項に記載の注入補助具。
【請求項３０】
前記造影剤は、硫酸バリウム注腸剤を含むことを特徴とする請求項１乃至請求項２９のいずれか１項に記載の注入補助具。
【発明の詳細な説明】
【技術分野】
【０００１】
この発明は、造影剤を注入するのに適した注入補助具に関する。
【背景技術】
【０００２】
従来、医療用の分野において、造影剤を血管等に注入する場合、点滴、注射器、または注射器をセットした自動注入装置を用いて注入していた。この注射器では、注射針を患者の血管に突き刺し、手で押す操作により造影剤を血管に注入している。また、自動注入装置を用いる場合には、機械的なシリンジ駆動機構を用いて注入するものがあり（例えば、特開２００１−２２４６８５号公報（対応公報：米国公開公報第２００１−２１８２３号公報））、モータで造影剤を一定速度で送り出すものがあり（例えば、特開平６−７４４０号公報（対応公報：米国特許公報第５２６９７６２号公報））、これらの装置では注射器をセットし、この注射器に接続したチューブの先端の注射針を患者の血管に突き刺し、装置により自動的に押す操作を行なうことにより造影剤を血管に注入している。
【０００３】
また、手動の造影剤の注入補助具として、図２４に示すようなＣａｒｄｉｏｖａｓｃｕ１ａｒ  Ｉｎｎｏｖａｔｉｏｎｓ（登録商標）社のＯＺ  ＰａｌｍＩｎｊｅｃｔｏｒ（登録商標）がある。しかし、この装置は、１回の操作でバレルに充填された造影剤を一度に一気に注入するための装置である。そして、手の指で操作できるものではなく、その底部を手術台に固定し、操作ペダルを手の平でかなりの強い力で押して操作する必要がある。
【０００４】
また、造影剤の注入補助具ではないが多数の動物に対し手動で一定量の皮下注射を行う装置が、例えば、米国特許公報第３１１０３１０号公報、米国特許公報第３５１７６６８号公報に記載されている。また、手動で皮下にペレットを埋め込む装置が、例えば、米国特許公報第２８８３９８４号公報に記載されている。また、手動で医療用パスタを注入する装置が、例えば、米国特許公報第４２７６８７８号公報に記載されている。
【特許文献１】特開２００１−２２４６８５号公報
【特許文献２】特開平６−７４４０号公報
【特許文献３】米国特許公報第３１１０３１０号公報
【特許文献４】米国特許公報第３５１７６６８号公報
【特許文献５】米国特許公報第２８８３９８４号公報
【特許文献６】米国特許公報第４２７６８７８号公報
【発明の開示】
【発明が解決しようとする課題】
【０００５】
このように、従来、造影剤を血管に注入する場合、注射器、点滴または自動注射装置を用いて注入していたが、点滴または自動注射装置を用いて注入した際、以下の問題がある。
【０００６】
＊１患者の血管を突き抜けて注射針を刺してしまった場合でも、造影剤が注入され続け、注射箇所を中心に組織にダメージを与える問題。
【０００７】
＊２造影剤の注入により、患者の血管が注入途中で収縮した場合でも、造影剤が注入され続け、注射箇所を中心に組織にダメージを与える問題。
【０００８】
＊３自動注入装置を用いて注入する際は、更に、注射器と注射針との間のチューブを患者が握ったり、患者が動いて潰したりして、チューブが塞がった場合でも、注射動作を続けようとして、注射器のバレルを破裂させてしまう問題。
【０００９】
このような問題を回避するためには、注射器を手で操作して造影剤を注入すればよいが、造影剤は、注入する容量が大きいため、通常の治療薬の注射器と異なり、断面積の大きい注射器を用いる必要がある。
【００１０】
そして、粘度が高いため、注射器を手で操作するには、指で押すのではなく手の平でかなりの力で押す必要があり、連続して何度も撮影する場合には、注射器を操作する撮影医、撮影技師の手の平に痣ができるほどである。そのために、手の平の圧力感覚が疲弊してしまうと、患者の血管が注入途中で収縮した場合や、チューブが塞がった場合の圧力の変動を感じにくくなる問題がある。
【００１１】
そこで、この発明は、上記問題を解消し、自動注入装置のような制御装置が不要で、手の平でかなりの力で押す必要がなく、指の力で注射動作でき、かつ、患者の血管を突き抜けて注射針を刺してしまった場合や、造影剤の注入により、患者の血管が注入途中で収縮した場合や、チューブが塞がった場合でも、それによる圧力変動を、圧力感覚が特に鋭い手の指で感じることができ注入動作を中止またはゆっくりさせることができる手動で動作する注入補助具を提供することを目的とする。
【課題を解決するための手段】
【００１２】
前記課題を解決し、かつ目的を達成するために、この発明は、以下のように構成した。
【００１３】
本発明の注入補助具は、バレルに充填された造影剤をプランジャの押動で注入可能な造影剤注入器を着脱自在に保持し、この保持した前記造影剤注入器の注入動作を補助する注入補助具であって、
前記バレルを保持する保持手段と、
前記プランジャを押動する押動手段と、
手の指によって操作可能な操作レバーと、
前記操作レバーの操作を梃子の原理により前記押動手段へ減速増力して伝達する動力伝達手段とを有することを特徴とする。
【００１４】
この注入補助具によれば、造影剤注入器のバレルを注入補助具に保持し、操作レバーの操作を梃子の原理により押動手段へ減速増力して伝達し、押動手段によりバレルのプランジャを押動し、バレルに充填された造影剤を注入することで、指の力で注入動作ができ、かつ、患者の血管を突き抜けて注射針を刺してしまった場合や、造影剤の注入により、患者の血管が注入途中で収縮した場合や、チューブが塞がった場合でも、それによる圧力変動を、圧力感覚が特に鋭い手の指で感じることができ注入動作を中止またはゆっくりさせることができる。
【００１５】
また、本発明の注入補助具は、前記バレルに充填された当初の造影剤の容量が４０ｍｌ以上であることが好ましい。
【００１６】
この注入補助具によれば、バレルに充填された当初の造影剤の容量が４０ｍｌ以上であるので、造影剤撮影に要求される造影剤を注射しつつ、プランジャのストローク範囲が、適切なストロークの範囲内であっても、自動注入装置のような制御装置が不要で、手の平
でかなりの力で押す必要がなく、指の力で注射動作ができる。
【００１７】
また、本発明の注入補助具は、前記バレルに充填された当初の造影剤の容量が２５０ｍｌ以下であることが好ましい。
【００１８】
この注入補助具によれば、バレルに充填された当初の造影剤の容量が２５０ｍｌ以下であるので、造影剤撮影に要求される造影剤を注射しつつ、プランジャのストローク範囲が、適切なストロークの範囲内であっても、自動注入装置のような制御装置が不要で、手の平でかなりの力で押す必要がなく、指の力で注射動作ができる。
【００１９】
また、本発明の注入補助具は、前記バレルの断面積が３ｃｍ2以上であることが好ましい。
【００２０】
この注入補助具によれば、手動によっても、充分な注入速度を確保しつつ、自動注入装置のような制御装置が不要で、手の平でかなりの力で押す必要がなく、指の力で注射動作ができる。
【００２１】
また、本発明の注入補助具は、前記バレルの断面積が２０ｃｍ2以下であることが好ましい。
【００２２】
この注入補助具によれば、手動により押動しやすい力ですみ、自動注入装置のような制御装置が不要で、手の平でかなりの力で押す必要がなく、指の力で注射動作ができる。
【００２３】
また、本発明の注入補助具は、前記バレルの先端から前記動力伝達手段の梃子の支点までの距離が４０ｃｍ以下であることが好ましい。
【００２４】
この注入補助具によれば、押動手段によりバレルのプランジャを押動する際のブレが生じにくく、また、手に取って取り回しやすく、手に持っての操作が容易である。
【００２５】
また、本発明の注入補助具は、前記バレルの先端から前記動力伝達手段の梃子の支点までの距離が５ｃｍ以上であることが好ましい。
【００２６】
この注入補助具によれば、バレルに充填された当初の造影剤の容量が充分大きくても、造影剤注入器の着脱が容易である。
【００２７】
また、本発明の注入補助具は、前記動力伝達手段が、
前記操作レバーの操作により、梃子の支点を中心に回動する回動部材を有し、前記回動部材が押動方向に回動すると、前記押動手段が前記バレル側に前進するものであることが好ましい。なお、前記回動都材は、操作レバー自体であってもよいし、操作レバーと一体に回動する部材であってもよいし、操作レバーとは別動して回動する部材であっても良い。
【００２８】
また、前記回動部材の作用点からの作用により、直接又は間接に、前記押動手段が前記バレル側に前進するものであることが好ましい。
【００２９】
この注入補助具によれば、簡単な構造で押動することができる。
【００３０】
また、本発明の注入補助具は、前記梃子の支点から前記作用点までの距離が０．５ｃｍ以上であることが好ましい。
【００３１】
この注入補助具によれば、一度の操作で押動手段が押動する距離を充分確保でき、操作レバーの操作頻度が少なくて済み、操作性が良い。
【００３２】
また、本発明の注入補助具は、前記梃子の支点から前記作用点までの距離が３ｃｍ以下であることが好ましい。
【００３３】
この注入補助具によれば、操作レバーを操作するのに必要な力を小さくでき、指の力で動作できる。そして、指で操作すれば、造影剤注入における異常発生の際の圧力変動を、圧力間隔が特に鋭い手の指で感じることができる。
【００３４】
また、本発明の注入補助具は、前記操作レバーの当初位置から最大操作位置に至るまでの間の操作全てにおいて、前記押動手段によって前記プランジャを押動する方向と、前記動力伝達手段の梃子の支点と前記作用点とを結ぶ方向との間の角度が、３０°以上１５０°以下であることが好ましい。
【００３５】
この注入補助具によれば、操作レバーの当初位置から最大操作位置に至るまでの間の操作全てにおいて、押動手段によってプランジャを押動する方向と、動力伝達手段の梃子の支点と前記作用点とを結ぶ方向との間の角度が、３０°以上１５０°以下であり、摩擦などを除いて、動力伝達手段によって伝達される力の所定以上を押動手段に伝達することになり、好ましい。
【００３６】
また、本発明の注入補助具は、前記操作レバーの当初位置から最大操作位置に至るまでの間の操作全てにおいて、前記操作レバーの操作を前記押動手段へ減速増力して伝達するものであることが好ましい。
【００３７】
この注入補助具によれば、操作レバーの当初位置から最大操作位置に至るまでの間の操作全てにおいて、操作レバーの操作を押動手段へ減速増力して伝達するものであり、操作レバーの操作に要する力が、押動手段に伝達される力より小さくかつ、操作レバーを操作する速度が、押動手段が移動する速度より大きいことが、一貫して指の力で容易に操作でき、圧力変動も感じやすく好ましい。
【００３８】
また、本発明の注入補助具は、１回の前記操作レバーの操作により前記バレルに充填された当初の造影剤の注入開始から注入終了までの全てをできるものではなく、複数回の前記操作レバーの操作により前記バレルに充填された当初の造影剤の注入開始から注入終了までの全てをできるものであることが好ましい。
【００３９】
この注入補助具によれば、複数回の操作レバーの操作によりバレルに充填された当初の造影剤の注入開始から注入終了までの全てをできるものであり、操作レバーを指の力で握る操作で、造影剤を注入できる。
【００４０】
また、本発明の注入補助具は、前記保持手段により前記バレルを保持した状態で、前記バレルを視認可能であることが好ましい。
【００４１】
この注入補助具によれば、保持手段によりバレルを保持した状態で、バレルを視認可能であり、操作者は、操作レバーの操作中であっても、造影剤注入器のバレルに付された目盛等を見ることができ、これによって、充填される造影剤の液量を容易に確認することができる。
【００４２】
また、本発明の注入補助具は、前記造影剤を平均５ｍｌ／秒以下の注入速度で注入するためのものであることが好ましい。
【００４３】
この注入補助具によれば、造影剤を平均５ｍｌ／秒以下の注入速度で注入するためのものであり、より適切な造影撮影ができる。
【００４４】
また、本発明の注入補助具は、前記造影剤を１×１０6Ｐａ以下の注入圧力で注入するためのものであることが好ましい。
【００４５】
この注入補助具によれば、造影剤を１×１０6Ｐａ以下の注入圧力で注入するためのものであり、バレルが破裂することなく操作レバーを手の指で容易に操作することができ、また、指先で圧力変動をより感じることができつつ、造影剤を注入できる。また、造影剤の注入圧力は、血圧や尿管内の圧力など注入先の液圧以上である必要がある。
【００４６】
また、本発明の注入補助具は、前記造影剤を尿路または小静脈に注入するためのものであることが好ましい。
【００４７】
この注入補助具によれば、造影剤を尿路または小静脈に注入するためのものに用いることに適する。
【００４８】
また、本発明の注入補助具は、前記操作レバーとともに人の手により握ることができる位置に、ハンドルが設けられていることが好ましい。
【００４９】
この注入補助具によれば、操作レバーとともに人の手により握ることができる位置に、ハンドルが設けられ、指を握る動作により操作レバーを操作することができる。
【００５０】
また、本発明の注入補助具は、前記操作レバーと前記ハンドルを握ることにより持ち上げ、操作することが可能であることが好ましい。
【００５１】
この注入補助具によれば、操作レバーと前記ハンドルを握ることにより持ち上げ、操作することが可能であり、操作者がどのような体勢であっても、手の指で容易に操作でき、造影剤注入時の圧力変動を容易に感じることができる。
【００５２】
また、本発明の注入補助具は、前記ハンドルと前記保持手段とが一体になったピストル型であることが好ましい。
【００５３】
この注入補助具によれば、ハンドルと保持手段とが一体になったピストル型であり、簡単に操作することができる。
【００５４】
また、本発明の注入補助具は、前記保持手段が、前記造影剤注入器の前記バレルが載置可能である受部と、開閉自在で閉じた時、前記受部に載置された前記バレルの一部を保持する保持部とを有することが好ましい。
【００５５】
この注入補助具によれば、造影剤注入器のバレルを受部に載置し、このバレルの一部を保持部で保持することで、造影剤注入器の着脱が容易で、しかも簡単かつ確実に保持することができる。
【００５６】
また、本発明の注入補助具は、前記保持部が、透明体であることが好ましい。この注入補助具によれば、保持部が透明体であり、造影剤注入器のバレルに付された目盛等を見て、充填される造影剤の液量を容易に確認することができる。
【００５７】
また、本発明の注入補助具は、前記保持部が、前記バレルの一部を押圧保持する弾性体
を有することが好ましい。
【００５８】
この注入補助具によれば、保持部がバレルの一部を押圧保持する弾性体を有することで、バレルを傷付けることなく、確実に押圧して保持することができる。
【００５９】
また、本発明の注入補助具は、前記造影剤注入器のバレルが、前記バレルの開口側に鍔部を有し、この鍔部を前記保持部に当接させることが好ましい。
【００６０】
この注入補助具によれば、バレルの鍔部を保持部に当接させることで、バレルの押圧方向の移動を確実に規制することができる。
【００６１】
また、本発明の注入補助具は、受部が、突起部を有し、この突起部に前記鍔部を係合させても良い。
【００６２】
また、本発明の注入補助具は、前記造影剤注入器が、そのプランジャに頭部を有するピストンが係合されており、前記押動手段の押圧部と前記ピストンの頭部との間に中間プレートを介在させることが好ましい。
【００６３】
この注入補助具によれば、押動手段からの押圧力が中間プレート、ピストンを介してプランジャに伝達され、操作時に押動手段側にずれが生じても中間プレートによってピストンを介してプランジャに伝達されることが規制され、人手による操作で正確な造影剤の注入ができる。
【００６４】
また、本発明の注入補助具は、前記中間プレートが、前記保持手段側に押動方向に移動可能に係合保持される係合摺動部と、前記ピストンの頭部を係合保持する係合保持部とを有することが好ましい。
【００６５】
この注入補助具によれば、中間プレートは、保持手段側に押動方向に移動可能に係合保持され、プランジャと係合したピストンの頭部を係合保持することで、円滑に押動方向に移動することができる。
【００６６】
また、本発明の注入補助具は、造影剤注入器のバレルが、透明体であり、充填される造影剤の液量を示す目盛を有することが好ましい。
【００６７】
この注入補助具によれば、造影剤注入器のバレルが透明体であり、充填される造影剤の液量を示す目盛を有することで、目視で容易に造影剤の液量を確認することができる。
【００６８】
また、本発明の注入補助具は、造影剤は、硫酸バリウム注腸剤を含むことが好ましい。
【００６９】
この注入補助具によれば、造影剤は、硫酸バリウム注腸剤も含み、医療用の分野において好ましく用いられる。
【発明を実施するための最良の形態】
【００７０】
以下、この発明の注入補助具の実施の形態を図面に基づいて詳細に説明するが、この発明は、この実施の形態に限定されない。また、この発明の実施の形態は、発明の最も好ましい形態を示すものであり、この発明の用語の意義は、これに限定されない。
【００７１】
「実施形態１」
図１は実施形態１における注入補助具の側面図、図２は注入補助具の斜視図、図３は注入補助具の平面図、図４は動力伝達手段の概略構成図、図５は動力伝達手段の作動状態を示す概略構成図、図６は操作レバーによる操作前の斜視図、図７は操作レバーによる操作時の斜視図、図８は保持手段を示す斜視図、図９はバレル保持部の平面図、図１０はプランジャ押動状態を示す断面図、図１１（Ａ）〜（Ｃ）は造影剤注入器の側面図である。
【００７２】
この実施の形態の注入補助具１は、保持手段１０と、押動手段２０と、操作レバー３０と、動力伝達手段４０とを備え、造影剤注入器５０の注入動作を補助する。
【００７３】
この造影剤注入器５０は、図１１（Ａ）〜（Ｃ）に示すように、バレル５１とプランジャ５２とからなる。バレル５１には造影剤が所定量充填されており、バレル５１の吐出口５１ａはキャップ５１ｂで塞がれており、使用時にキャップ５１ｂを外して注入パイプ５３を接続する。なお、注入パイプ５３の他端には、図示しない注射針が接続されている。
【００７４】
バレル５１は、透明樹脂、透明ガラス等の透明体で形成され、開口側に鍔部５１ｃを有する。このバレル５１には、充填される造影剤の液量を示す目盛５４を有するラベル５５が接着され、目視で容易に造影剤の液量を確認することができる。
【００７５】
プランジャ５２には、バレル５１の開口側にネジ穴部５２ａが形成され、図９及び図１０に示すように、押動手段２０を構成するロッド２１の先端に設けられる押圧部２１ａのネジ部２１ａ１が螺着脱可能になっている。押圧部２１ａは、ネジ部２１ａ１の基部に押圧鍔部２１ａ２が形成され、この押圧鍔部２１ａ２の外径Ｄ１はネジ穴部５２ａの穴径Ｄ２より大径でバレル５１の内径Ｄ３より小径に形成されている。
【００７６】
ロッド２１を回転してネジ部２１ａ１をネジ穴部５２ａに螺着することによって押圧鍔部２１ａ２がプランジャ５２の押圧面５２ｂに当接し、プランジャ５２が押動可能になる。
【００７７】
この状態で、プランジャ５２がバレル５１内を摺動し、バレル５１内の造影剤が、バレル５１の吐出口５１ａに接続された注入パイプ５３から注入される。
【００７８】
この実施形態の注入補助具では、造影剤注入器５０を交換自在に保持するので、造影剤注入器５０の交換作業の作業性が良い。
【００７９】
この薬剤注入器５０は、１００ｍｌ用（図１１（Ａ））、８０ｍｌ用（図１１（Ｂ））、５０ｍｌ用（図１１（Ｃ））を示しているが、バレル５１に充填された当初の造影剤の容量としては、４０ｍｌ以上、特に７０ｍｌ以上であることが、造影剤撮影に要求される造影剤を注射できつつ、プランジャ５２のストローク範囲が、適切な範囲内であっても、手の平でかなりの力で押す必要が無く、指の力で注射動作でき、造影剤注射での異常発生の際の圧力変動を、圧力感覚が特に鋭い手の指で感じることができ、好ましい。
【００８０】
また、バレル５１に充填された当初の造影剤の容量として、２５０ｍｌ以下、特に１６０ｍｌ以下の場合に、プランジャ５２のストローク範囲が適切な範囲内にしつつ、指の力で注射動作できるので、好ましい。また、バレル５１の断面積としては、３ｃｍ2以上、特に７ｃｍ2以上であることが、注入補助具が無いと、手の平でかなりの力で押す必要があるが、この発明によりその必要が無く、造影剤撮影に要求される造影剤の容量に対して、プランジャ５２のストローク範囲が適切なストロークの範囲内となりつつ、指の力で注射動作でき、造影剤注射での異常発生の際の圧力変動を、圧力感覚が特に鋭い手の指で感じることができ、好ましい。また、バレル５１の断面積としては、２０ｃｍ2以下、特に１５ｃｍ2以下であることが、装置に負担が少なく、かつ、指の力で注射動作でき、造影剤注射での異常発生の際の圧力変勤を、圧力感覚が特に鋭い手の指で感じることができ、好ましい。
【００８１】
また、バレル５１に充填される造影剤は、例えば表１に示すような造影剤に用いること
ができる。特に、Ｘ線撮影用造影剤に用いることが好ましい。
【００８２】
表１
2004313748.tif 000003
【００８３】
この注入補助具１に備えられる保持手段１０は、造影剤注入器５０のバレル５１が載置可能である受部１１と、この受部１１に対して、開閉自在である保持部１２とを有する。そして、この受部１１にバレル５１が載置された状態で、この保持部１２が閉じることにより、バレル５１を受部１１側へ押えられる。この受部１１はガイド体２に固定され、このガイド体２はハンドル３に固定されている。これにより、注入補助具１は、ハンドル３と保持手段１０とが一体になったピストル型になっている。
【００８４】
受部１１及び保持部１２は、図８に示すように、透明樹脂の円筒を軸方向に半割した形状に形成され、受部１１より保持部１２が短く形成されている。この保持部１２の一端は、ヒンジ１３を支点に受部１１に対して開閉可能であり、他端の爪部１４を受部１１の係止部１５に係合して固定される。
【００８５】
造影剤注入器５０のバレル５１を受部１１に載置し、このバレル５１の一部を保持部１２で保持することで、造影剤注入器５０の着脱が容易で、しかも簡単かつ確実に保持することができる。
【００８６】
また、受部１１及び保持部１２が透明体であり、造影剤注入器５０のバレル５１が視認可能である。操作者は、操作レバー３０の操作中であっても、造影剤注入器５０のバレル５１に付された目盛等を見ることができ、これによって、充填される造影剤の液量を容易に確認することができる。
【００８７】
また、保持部１２には、押圧面１２ａ側に係合溝１２ｂが形成され、この係合溝１２ｂに弾性体１６が埋め込まれ、係合されている。保持部１２を閉じて固定することで、弾性体１６がバレル５１の一部を押圧保持し、バレル５１を傷付けることなく、確実に押圧して保持することができる。この弾性体１６は、可撓性樹脂パイプを用いているが、ゴム等で構成してもよい。また、弾性体１６は、この実施の形態では１個所に設けているが、複数箇所に設けてもよく、あるいは押圧面１２ａの全面に設けてもよい。
【００８８】
また、受部１１の端部１１ａ及び保持部１２の端部１２ｃに、バレル５１の開口側に鍔部５１ｃが当接することで、バレル５１の押圧方向の移動を確実に規制することができる。また、保持部１２によってバレル５１を保持し、ストッパー３４を解除した状態で、ロッド２１の摘み部２３を若干引くことにより、プランジャ５２を引いて、血液が注入パイプ５３内に流入するのを目視で確認することにより、注射針の先端が血管に入っているか確認できる。
【００８９】
この注入補助具１に備えられる押動手段２０は、ロッド２１と、ロッド２１の先端に設けた押圧部２１ａと、ロッド２１の頭部に取り付けた摘み部２３とを有し、ロッド２１はガイド体２に移動可能に設けられている。
【００９０】
この注入補助具１に備えられる操作レバー３０は、この操作レバー３０の操作により、梃子の支点Ｏ１を中心に回動する回動部材を兼ねている。そして、操作レバー３０の指で握る側の握り部３０ａと反対側の操作部３０ｂ側が、ハンドル３に固定された支持軸３５が貫通しており、この支持軸３５を中心に回動自在に設けられている。そして、握り部３
０ａを握ることにより、操作レバー３０を操作した際に、梃子の支点Ｏ１として機能する。
【００９１】
ハンドル３と操作レバー３０は、両方とも、人の手により握ることができる位置に設けられている。これにより、片手の親指側でハンドル３を握り、他の４本の指側で操作レバー３０を握り、ハンドル３側に引くことにより、手動力により、操作レバー３０が操作される。
【００９２】
即ち、指を握る動作により操作レバー３０を操作することができる。また、操作レバー３０とハンドル３を握ることにより持ち上げ、操作することが可能である。従って、操作者がどのような体勢であっても、手の指で容易に操作でき、造影剤注入時の圧力変動を容易に感じることができる。
【００９３】
この注入補助具１に備えられる動力伝達手段４０は、操作レバー３０の操作を梃子の原理により押動手段２０へ減速増力して伝達する。この動力伝達手段４０は、図４及び図５に示すように、梃子の支点Ｏ１を中心に、操作レバー３０と、操作レバー３０の操作部３０ｂにより押されて移動するチャッキングプレート３２とを有し、チャッキングプレート３２が操作部３０ｂの作動溝３０ｂ１に摺動可能に当接している。
【００９４】
図６に示すように、チャッキングプレート３２は、ロッド２１を通し、ロッド２１に摩擦係合して押し出すチャッキング長孔３２ａを有し、操作レバー３０の動作に伴い、図７に示すように、チャッキングプレート２１が傾き、チャッキングプレート２１のチャッキング長孔３２ａ部分がロッド２１と摩擦係合して、ロッド２１を図４の状態から前方に向けて送り出し、図５のような状態になる。
【００９５】
また、ロッド２１に通した状態でガイド体２の固定部８０とチャッキングプレート３２の相互間には、弾性部材（スプリング）３３が配置され、この弾性部材３３はチャッキングプレート３２を初期状態に戻すように付勢している。そして、操作レバー３０の握りをゆるめると、この付勢力により、チャッキングプレート３２が初期状態に戻ると共に、操作レバー３０も運動して、初期状態に戻る。
【００９６】
ロッド２１の後方への移動を防止するストッパー３４が設けられている。このストッパー３４は、ハンドル３の上部にて片持ち支持されるレバー３４ａと、このレバー３４ａとチャッキングプレート３２との間で弾性支持する弾性部材（スプリング）３４ｃからなっていて、レバー３４ａの貫通孔３４ａ１にてロッド２１を通している。そして、操作レバー３０の握りをゆるめると、直ちに、チャッキングプレート３２がロッド２１に対し垂直になり、ロッド２１に対して摺動し、チャッキングプレート３２が、ロッド２１を後方へ移動させることが無い。
【００９７】
弾性部材３３のスプリング力が、弾性部材３４ｃのスプリング力より大きく設定されており、造影剤注入器５０を装着して図４に示す如く操作レバー３０を引くと、操作レバー３０が梃子の支点Ｏ１を中心に押動方向に回動し、操作部３０ｂの作動溝３０ｂ１に摺動可能に当接しているチャッキングプレート３２を押動する。これによりチャッキングプレート３２は弾性部材３３の復元力に抗して傾きながら前方に向けて移動することになり、このときロッド２１はチャッキングプレート３２のチャッキング長孔３２ａによってチャッキングされ、前方へ向けて進むことになり、造影剤注入器５０のプランジャ５１が押圧され、バレル５１の吐出口５１ａから造影剤が排出される。操作レバー３０を離すとロッド２１に何らの影響を与えることなしに弾性部材３３の復原力によって操作レバー３０及びチャッキングプレート３２は初期位置に復帰することになる。
【００９８】
このように、造影剤注入器５０のバレル５１を注入補助具１に保持し、操作レバー３０の操作を梃子の原理により押動手段２０へ減速増力して伝達し、押動手段２０によりバレ
ル５１のプランジャ５２を押動し、バレル５１に充填された造影剤を注入することで、操作レバー３０を操作する指の力で注入動作ができ、かつ、患者の血管を突き抜けて注射針を刺してしまった場合や、造影剤の注入により、患者の血管が注入途中で収縮した場合や、チューブが塞がった場合でも、それによる圧力変動を、圧力感覚が特に鋭い手の指で感じることができ注入動作を中止またはゆっくりさせることができる。
【００９９】
このバレル５１に充填された当初の造影剤の容量が４０ｍｌ以上、さらに７０ｍｌ以上で、容量が大きい場合でも、自動注入装置のような制御装置が不要で、手の平でかなりの力で押す必要がなく、指の力で注射動作ができる。
【０１００】
また、バレル５１の断面積が３ｃｍ2以上、さらに７ｃｍ2以上であり、大きな押動力を必要とする場合でも、自動注入装置のような制御装置が不要で、手の平でかなりの力で押す必要がなく、指の力で注射動作ができる。
【０１０１】
この実施の形態では、図１に示すように、バレル５１の先端から動力伝達手段２０の梃子の支点Ｏ１までの距離Ｌ１としては、４０ｃｍ以下、特に２５ｃｍ以下であることが好ましい。これにより、造影剤注入器５０のバレル５１に充填された当初の造影剤の容量が大きくても、この注入補助具１を手に持って取り回したり、操作するのが容易である。また、この距離Ｌ１としては、５ｃｍ以上、特に１０ｃｍ以上であることが好ましい。これにより、造影剤注入器５０のバレル５１に充填された当初の造影剤の容量が大きくても、造影剤注入器５０の着脱が容易になる。
【０１０２】
また、この実施の形態では、動力伝達手段２０が、梃子の支点Ｏ１を中心に、操作レバー３０と一体の操作部３０ｂにより、チャッキングプレート３２によりロッド２１をバレル側に前進させているが、操作レバー３０に別体のレバー等の一体に回動する部材を設け、この部材が回動すると、押動手段２０を構成するチャッキングプレート３２、ロッド２１がバレル側に前進するものであってもよい。
【０１０３】
このように、梃子の支点Ｏ１を中心に、操作レバー３０と一体又は一体に回動する部材を有し、この部材が回動すると、押動手段がバレル側に前進することで、操作レバー３０の操作を梃子の原理による簡単な構造で押動手段２０によりプランジャ５２を押動することができる。
【０１０４】
また、図４及び図５に示すように、梃子の支点Ｏ１から作用点Ｏ２までの距離Ｌ２としては、０．５ｃｍ以上、特に０．７ｃｍ以上であることが好ましい。これにより、チャッキングプレート３２が押動する距離が確保でき、操作レバー３０の操作頻度が少なくて済み、操作性が良い。
【０１０５】
また、梃子の支点Ｏ１から作用点Ｏ２までの距離Ｌ２としては、３ｃｍ以下、特に、２ｃｍ以下であることが好ましい。これにより、梃子の原理による操作レバー３０の操作に必要な力が弱くなり、指の力で注射動作でき、造影剤注射での異常発生の際の圧力変動を、圧力感覚が特に鋭い手の指で感じることができる。
【０１０６】
また、操作レバー３０の当初位置から最大操作位置に至るまでの間の操作全てにおいて、押動手段２０によってプランジャ５２を押動する方向ＤＰと、動力伝達手段４０である操作レバー３０の梃子の支点Ｏ１である支持軸３５と、作用点である操作レバー３０の操作部３０ｂの先端Ｏ２とを結ぶ方向ＤＬとの間の角度θは、３０°以上１５０°以下であることが、特に、４５°以上１３５°以下であることが、摩擦などを除いて、動力伝達手段４０によって伝達される力の５０％以上を押動手段２０に伝達することになり、好ましい。なお、図に示す実施例では、角度θは、８０°以上１３５°以下である。このようにして、操作レバー３０の当初位置から最大操作位置に至るまでの間の操作全てにおいて、操作レバー３０の操作を押動手段２０へ減速増力して伝達するものであることが、即ち、操作レバー３０の当初位置から最大操作位置に至るまでの間の操作全てにおいて、操作レバー３０の操作に要する力が、押動手段２０に伝達される力より小さくかつ、操作レバー３０を操作する速度が、押動手段２０が移動する速度より大きいことが、一貫して指の力で容易に操作でき、圧力変動も感じやすく好ましい。
【０１０７】
なお、注入補助具の材質としては、ロッド２１とチャッキングプレート３２と弾性部材３３が金属で、それ以外の部材が構造用プラスチックであることが重量と耐久性のバランスから好ましい。そして、ＭＲＩ装置用、即ち、ＭＲＩ装置で磁気共鳴効果を利用して被験者の造影断層画像をリアルタイムに撮像するのに用いる場合、注入補助具の金属部材、特に容積の大きいロッドが、例えば、非磁性ステンレス鋼などの非磁性金属であることが、磁場を乱す可能性がより低くなり好ましい。
【０１０８】
「変形例」  
図１２は、実施形態１における注入補助具の変形例を示した側面図である。この変形例の注入補助具１ａは、保持手段１０ａの受部７０に突起部７１を備えており、造影剤注入器５０を保持手段１０ａに装着した際、この突起部７１は、バレル５１の鍔部５１ｃと係合する。これにより、操作レバー３０を初期状態に戻した後、ストッパー３４を解除した状態で、摘み部２３を押動方向と反対側の後方に引くことにより、プランジャ５２を押圧方向と反対の方向に引き戻す際に、バレル５１が押圧方向と反対側に引き戻されることを規制することができる。
【０１０９】
「実施形態２」
次に、実施形態１の注入補助具１に備えられた動力伝達手段４０を変形した例である実施形態２の注入補助具１ｂの動力伝達手段４０ａ周辺を図１３に示す。この実施の形態では、操作レバー３０にガイド部材９０がロッド２１と平行に設けられ、このガイド部材９０は前後２箇所に配置した二対の支持ローラ９１で前後方向に移動可能に支持されている。このガイド部材９０にはラック歯９０ａが形成され、このラック歯９０ａに注入補助具１ｂに備えられる回転体９２のピニオン歯９２ａが噛み合っている。回転体９２には、前進方向にのみ回転を許容する一方向クラッチ９３が内蔵され、回転体９２と駆動軸９４が一体に回転し、駆動軸９４のピニオン歯９４ａがロッド２１のラック歯２１ｄに噛み合っている。
【０１１０】
操作レバー３０を引くと、ガイド部材９０が回転体９２を前進方向に回転し、これにより回転体９２と駆動軸９４が一体に押動方向に回転し、ロッド２１が前進する。すなわち、押動手段２０がバレル５１側に前進する。この際、操作レバー３０の操作を、回転体９２のピニオン歯９２ａとピニオン歯９４ａとの減速比に応じた梃子の原理により、減速増力して、駆動手段２０へ伝達する。これにより、プランジャ５２を押動し、バレル５１に充填された造影剤を注入する。操作レバー３０を操作する手を離すと、弾性部材９５により、操作レバー３０が元の位置に復帰する。
【０１１１】
また、操作レバー３０の当初位置から最大操作位置に至るまでの間の操作全てにおいて、押動手段２０によってプランジャ５２を押動する方向ＤＰと、動力伝達手段２０である回転体９４の梃子の支点である中心軸Ｏ１と、作用点である回転体９４のピニオン歯９４ａとロッド２１に設けたラック歯２１ｄとが噛み合う点Ｏ２とを結ぶ方向ＤＬとの間の角度θは、３０°以上１５０°以下であることが、特に、４５°以上１３５°以下であることが、摩擦などを除いて、動力伝達手段４０ａによって伝達される力の５０％以上を押動手段２０に伝達することになり、好ましい。
【０１１２】
なお、図１３に示す実施例では、角度θは、９０°である。このようにして、操作レバー３０の当初位置から最大操作位置に至るまでの間の操作全てにおいて、操作レバー３０の操作を押動手段２０へ減速増力して伝達するものであることが、即ち、操作レバー３０の当初位置から最大操作位置に至るまでの間の操作全てにおいて、操作レバー３０の操作に要する力が、押動手段２０に伝達される力より小さくかつ、操作レバー３０を操作する速度が、押動手段２０が移動する速度より大きいことが、一貫して指の力で容易に操作でき、圧力変動も感じやすく好ましい。
【０１１３】
以上、説明した実施形態１、実施形態２では、１回の操作レバー３０の操作によりバレル５１に充填された当初の造影剤の注入開始から注入終了までの全てをできるものではなく複数回の操作レバー３０の操作によりバレル５１に充填された当初の造影剤の注入開始から注入終了までの全てをできるものである。これにより、操作レバー３０を指の力で握る操作で、造影剤を注入できる。なお、注入開始とは、バレル５１に充填された当初の造影剤を初めてバレル５１内から外へ送出するタイミングのことで、注入終了とは、バレル５１内のプランジャ５２を押動する押動手段２０がそれ以上前進できない状態になるタイミングのことである。
【０１１４】
また、実施形態１、実施形態２では、造影剤の注入速度は、平均５ｍｌ／秒以下であることが好ましい。これにより、操作レバー３０を手の指で容易に操作することができ、また、指先で圧力変動をより感じることができつつ、造影剤を注入できる。また、造影剤の注入速度は、平均０．１ｍｌ／秒以上であることが好ましい。これにより、より適切な造影撮影ができる。また、造影剤の注入圧力は、１×１０6Ｐａ以下であることが好ましい。これにより、バレル５１が破裂することなく操作レバー３０を手の指で容易に操作することができ、また、指先で圧力変動をより感じることができつつ、造影剤を注入できる。また、造影剤の注入圧力は、血圧や尿管内の圧力など注入先の液圧以上である必要がある。また、この造影剤注入装置は、造影剤を尿路または小静脈に注入するのに用いることに適する。
【０１１５】
「実施形態３」
実施形態３は、実施形態１または実施形態２の造影剤注入器の保持手段１０と押動手段２０の変形例である。
【０１１６】
図１４は実施形態３における注入補助具の側面図、図１５は注入補助具の斜視図、図１６は注入補助具の平面図、図１７は保持手段を示す斜視図、図１８は中間プレートの正面図、図１９は中間プレートの斜視図、図２０（Ａ）〜（Ｃ）は造影剤注入器の斜視図である。
【０１１７】
この実施の形態の注入補助具１０１は、保持手段１１０と、押動手段１２０と、操作レバー１３０と、動力伝達手段１４０とを備え、造影剤注入器１５０の注入動作を補助する。
【０１１８】
この造影剤注入器１５０は、図２０（Ａ）〜（Ｃ）に示すように、バレル１５１とプランジャ１５２とからなる。バレル１５１には造影剤が所定量充填されており、バレル１５１の吐出口１５１ａはキャップ１５１ｂで塞がれており、使用時にキャップ１５１ｂを外して注入パイプ１５３を接続する。
【０１１９】
バレル１５１は、透明樹脂、透明ガラス等の透明体で形成され、開口側に鍔部１５１ｃを有する。このバレル１５１には、充填される造影剤の液量を示す目盛１５４を有するラベル１５５が接着され、目視で容易に造影剤の液量を確認することができる。
【０１２０】
プランジャ１５２は、頭部１５６ａを有するピストン１５６と着脱自在に係合する。頭部１５６ａが押動手段１２０によって押動され、この押動によってピストン１５６、プランジャ１５２がバレル１５１内を摺動し、バレル１５１の吐出口１５１ａに接続された注入パイプ１５３から注入可能である。
【０１２１】
本実施形態の注入補助具では、ピストン１５６が係合した状態の造影剤注入器を交換自在に保持するので、造影剤注入器の交換作業の作業性が良い。
【０１２２】
この造影剤注入器１５０は、１００ｍｌ用（図２０（Ａ））、８０ｍｌ用（図２０（Ｂ））、５０ｍｌ用（図２０（Ｃ））を示しており、例えば表２に示すような造影剤に用いることができるが、特に、Ｘ線撮影用造影剤に用いることが好ましい。
【０１２３】
表２
2004313748.tif 000004
【０１２４】
なお、これに限定されず大容量の造影剤の注入にも用いられる。
【０１２５】
また、この実施の形態では、薬剤として造影剤の薬液を示しているが、上記造影剤以外に、大容量の硫酸バリウム注腸剤等に用いることができる。
【０１２６】
硫酸バリウム注腸剤は、肛門から大腸に注入して造影するものであり、
商品名                                    製造元
バリエネマ                                太田製薬
バロスパースエニマセット（堀井）          堀井製薬工業
等が挙げられ、医療用の分野において好ましく用いられる。
【０１２７】
この注入補助具１０１に備えられる保持手段１１０は、造影剤注入器１５０のバレル１５１が載置可能である受部１１１と、この受部１１１に載置されたバレル１５１の一部を保持する保持部１１２とを有している。この受部１１１はガイド体１０２に固定され、このガイド体１０２はハンドル１０３に固定されている。
【０１２８】
受部１１１及び保持部１１２は、図１７に示すように、透明樹脂の円筒を軸方向に半割した形状に形成され、受部１１１より保持部１１２が短く形成されている。この保持部１１２の一端は、ヒンジ１１３を支点に受部１１１に対して開閉可能であり、他端の爪部１１４を受部１１１の係止部１１５に係合して固定される。
【０１２９】
造影剤注入器１５０のバレル１５１を受部１１１に載置し、このバレル１５１の一部を保持部１１２で保持することで、造影剤注入器１５０の着脱が容易で、しかも簡単かつ確実に保持することができる。
【０１３０】
また、受部１１１及び保持部１１２が透明体であり、造影剤注入器１５０のバレル１５１に付された目盛等を見て、充填される造影剤の液量を容易に確認することができる。
【０１３１】
また、保持部１１２には、押圧面１１２ａ側に係合溝１１２ｂが形成され、この係合溝１１２ｂに弾性体１１６が係合されている。保持部１１２を閉じて固定することで、弾性体１１６がバレル１５１の一部を押圧保持し、バレル１５１を傷付けることなく、確実に押圧して保持することができる。この弾性体１１６は、可撓性樹脂パイプを用いているが、ゴム等で構成してもよい。また、弾性体１１６は、この実施の形態では１個所に設けているが、複数箇所に設けてもよく、あるいは押圧面１１２ａの全面に設けてもよい。
【０１３２】
また、受部１１１の端部１１１ａ及び保持部１１２の端部１１２ｃに、バレル１５１の開口側に設けられた鍔部１５１ｃが当接することで、バレル１５１の押圧方向の移動を確実に規制することができる。
【０１３３】
この注入補助具１０１に備えられる押動手段１２０は、ロッド１２１と、ロッド１２１の先端部１２１ａに取り付けた押圧部１２２と、ロッド１２１の頭部１２１ｂに取り付けた摘み部１２３とを有する。ロッド１２１はガイド体１０２に移動可能に設けられ、押圧部１２２とピストン１５６の頭部１５６ａとの間に中間プレート１２４が介在されている。
【０１３４】
中間プレート１２４は、図１８及び図１９に示すように、係合摺動部１２４ａと、係合保持部１２４ｂと、押圧部１２４ｃとを有し、樹脂で一体形成されているがこれに限定されない。係合摺動部１２４ａは、押圧部１２４ｃの両側に形成され、切欠き部１２４ａ１がガイド体１０２の左右に形成されたレール部１０２ａに摺動可能に係合され、保持手段側に押動方向に移動可能に係合保持されている。また、係合保持部１２４ｂは、押圧部１２４ｃの下側に形成され、外面１２４ｂ１はガイド体１０２のガイド面１０２ｂを摺動可能な形状に形成され、凹溝１２４ｂ２にピストン１５６の頭部１５６ａが係合保持される。これにより、ロッド１２１の摘み部１２３を引くことにより、ピストン１５６を介してプランジャ１５２を引いて、注射針の先端が血管に入っているか確認できる。
【０１３５】
ガイド体１０２には、開口部１０２ｃが形成され、ロッド１２１の押圧部１２２と、中間プレート１２４と、この中間プレート１２４の係合保持部１２４ｂに係合保持されるピストン１５６の頭部１５６ａがガイド体１０２と干渉しないようになっている。
【０１３６】
押動手段１２０からの押圧力が中間プレート１２４、ピストン１５６を介してプランジャ１５２に伝達され、操作時に押動手段側にずれが生じても中間プレート１２４によってピストン１５６を介してプランジャ１５２に伝達されることが規制され、人手による操作で正確な造影剤の注入ができる。
【０１３７】
この中間プレート１２４は、保持手段１１０側、即ち保持手段１１０が固定されたガイド体１０２に押動方向に移動可能に係合保持され、ピストン１５６の頭部１５６ａに係合保持されることで、円滑に押動方向に移動することができる。
【０１３８】
この注入補助具１０１に備えられる操作レバー１３０は、握り部１３０ａと操作部１３０ｂとを有し、操作部１３０ｂ側がハンドル１０３に支持軸１３５を支点回動可能に設けられている。片手の親指側でハンドル１０３を握り、他の４本の指側で操作レバー１３０を握り、ハンドル１０３側に引く手動力によって作動する。
【０１３９】
「変形例」
図２１は、実施形態３における注入補助具の変形例を示した側面図である。この変形例の注入補助具１０１ａは、保持手段１１０ａの受部１７０に突起部１７１を備えており、造影剤注入器１５０を保持手段１１０ａに装着した際、この突起部１７１は、バレル１５１の鍔部１５１ｃと係合する。これにより、操作レバー１３０を初期状態に戻した後、ストッパー１３４を解除した状態で、摘み部１２３を押動方向と反対側の後方に引くことにより、プランジャ１５２を押圧方向と反対の方向に引き戻す際に、バレル１５１が押圧方向と反対側に引き戻されることを規制することができる。
【０１４０】
「実施形態４」
本実施形態は、実施形態１〜３の動力伝達手段の変形例である。図２２は実施形態４の動力伝達手段１４０ａの概略構成図であり、図２３は実施形態４の動力伝達手段１４０ａ
の作動状態を示す概略構成図である。
【０１４１】
この注入補助具１０１に備えられる動力伝達手段１４０ａは、操作レバー１３０への手動力を梃子の原理により大きくして押動手段１２０に伝える。この梃子の原理により、図２２及び図２３に示すように、チャッキングプレート１３２が操作レバー１３０の操作部１３０ｂに固定されている。このチャッキングプレート１３２は、ロッド１２１を通す貫通孔１３２ａを有し、操作レバー１３０の動作に伴いロッド１２１を図２２の状態から前方に向けて送り出し、図２３のような状態になる。
【０１４２】
また、ロッド１２１に通した状態でガイド体１０２の固定部１８０とチャッキングプレート１３２の相互間には、弾性部材（スプリング）１３３が配置され、この弾性部材１３３はチャッキングプレート１３２を初期状態に戻すための復元力を有する。
【０１４３】
また、ロッド１２１の後方への移動を防止するストッパー１３４が設けられている。このストッパー１３４は、ハンドル１０３の上部にて片持ち支持されるレバー１３４ａと、このレバー１３４ａをガイド体１０２の固定部１３４ｂとの間で弾性支持する弾性部材１３４ｃからなっていて、レバー１３４ａの貫通孔１３４ａ１にてロッド１２１を通している。
【０１４４】
このストッパー１３４は、操作レバー１３０をハンドル１０３側に引く動作によるロッド１２１の前進に際しては何らの影響も与えないが、ロッド１２１を後方に向けて押圧するような力が作用した場合には貫通孔１３４ａ１のエッジにて摩擦抵抗を高めてロッド１２１の後方への滑りを阻止する。
【０１４５】
造影剤注入器１５０を装着して図２２に示す如く操作レバー１３０を引くと、チャッキングプレート１３２は弾性部材１３３の復元力に抗して傾きながら前方に向けて移動することになり、このときロッド１２１はチャッキングプレート１３２にチャッキングされ前方へ向けて進むことになり、造影剤注入器１５０のプランジャ１５１が中間プレート１２４を介して押圧される結果として、バレル１５１の吐出口１５１ａから薬液が排出される。
【０１４６】
操作レバー１３０を離すとロッド１２１に何らの影響を与えることなしに弾性部材１３３の復元力によって操作レバー１３０及びチャッキングプレート１３２は初期位置に復帰することになる。
【０１４７】
このように、この実施の形態の注入補助具１０１では、造影剤注入器１５０のバレル１５１を保持手段１１０に装着して保持し、手動力によって操作レバー１３０を操作すると、この手動力が動力伝達手段１４０によって押動手段１２０へ伝達されて押動手段１２０が造影剤注入器１５０のプランジャ１５２を中間プレート１２４、ピストン１５６を介して押動することで、造影剤注入器１５０の薬液を注入でき、粘度の高い造影剤を高い圧力にて注入するときにも、人手による操作で迅速かつ容易に注入でき、例えば患者の血管に正確に注入針が入っているか否かや注入速度等を手の指の感覚で知ることかできる。
【０１４８】
操作レバー１３０への手動力を梃子の原理により大きくして押動手段１２０に伝えることで、人手による操作でより一層迅速かつ容易に注入することができる。
【産業上の利用可能性】
【０１４９】
前記したように、本発明の注入補助具では、造影剤注入器のバレルを注入補助具に保持し、操作レバーの操作を梃子の原理により押動手段へ減速増力して伝達し、押動手段によりバレルのプランジャを押動し、バレルに充填された造影剤を注入することで、指の力で
注入動作ができ、かつ、患者の血管を突き抜けて注射針を刺してしまった場合や、造影剤の注入により、患者の血管が注入途中で収縮した場合や、チューブが塞がった場合でも、それによる圧力変動を、圧力感覚が特に鋭い手の指で感じることができ注入動作を中止またはゆっくりさせることができる。そのため、造影剤を注入するのに適している。
【図面の簡単な説明】
【０１５０】
【図１】実施形態１における注入補助具の側面図である。
【図２】注入補助具の斜視図である。
【図３】注入補助具の平面図である。
【図４】動力伝達手段の概略構成図である。
【図５】動力伝達手段の作動状態を示す概略構成図である。
【図６】操作レバーによる操作前の斜視図である。
【図７】操作レバーによる操作時の斜視図である。
【図８】保持手段を示す斜視図である。
【図９】バレル保持部の平面図である。
【図１０】プランジャ押動状態を示す断面図である。
【図１１】造影剤注入器の側面図である。
【図１２】実施形態１における注入補助具の変形例を示した側面図である。
【図１３】実施形態２における注入補助具の動力伝達手段を示す図である。
【図１４】実施形態３における注入補助具の側面図である。
【図１５】実施形態３における注入補助具の斜視図である。
【図１６】実施形態３における注入補助具の平面図である。
【図１７】実施形態３における保持手段を示す斜視図である。
【図１８】実施形態３における中間プレートの正面図である。
【図１９】実施形態３における中間プレートの斜視図である。
【図２０】実施形態３における造影剤注入器の斜視図である。
【図２１】実施形態３における注入補助具の変形例を示した側面図である。
【図２２】実施形態４における動力伝達手段の概略構成図である。
【図２３】実施形態４における動力伝達手段の作動状態を示す概略構成図である。
【図２４】従来の手動の造影剤の注入補助具を示す図である。
【符号の説明】
【０１５１】
１  注入補助具
１０  保持手段
２０  押動手段
３０  操作レバー
４０  動力伝達手段
５０  造影剤注入器
５１  バレル
５２  プランジャ
【図１】
2004313748.tif 000005
【図２】
2004313748.tif 000006
【図３】
2004313748.tif 000007
【図４】
2004313748.tif 000008
【図５】
2004313748.tif 000009
【図６】
2004313748.tif 000010
【図７】
2004313748.tif 000011
【図８】
2004313748.tif 000012
【図９】
2004313748.tif 000013
【図１０】
2004313748.tif 000014
【図１１】
2004313748.tif 000015
【図１２】
2004313748.tif 000016
【図１３】
2004313748.tif 000017
【図１４】
2004313748.tif 000018
【図１５】
2004313748.tif 000019
【図１６】
2004313748.tif 000020
【図１７】
2004313748.tif 000021
【図１８】
2004313748.tif 000022
【図１９】
2004313748.tif 000023
【図２０】
2004313748.tif 000024
【図２１】
2004313748.tif 000025
【図２２】
2004313748.tif 000026
【図２３】
2004313748.tif 000027
【図２４】
2004313748.tif 000028